(57)【特許請求の範囲】
【請求項１】
略直方体の外箱部と、該外箱部に収容される略直方体の内箱部と、前記外箱部と前記内箱部とを連結する連結部と、を備え、１枚の台紙を折り曲げることで前記外箱部と前記内箱部と前記連結部とが形成されるように組み立てられる包装箱であって、
前記外箱部は、
互いに対向し且つ略平行に配置される外側正面部および外側背面部と、互いに対向し且つ略平行に配置される外側右側面部および外側左側面部とからなる外側周壁部と、
該外側周壁部の上端開口部を塞ぐ外側上面蓋部と、
前記外側周壁部の下端開口部を塞ぐ外側底面蓋部と、を備え、
前記内箱部は、
前記外側正面部の内側に間隔を空けて対向し且つ該外側正面部と前記外側背面部とに略平行に配置される内側正面部と、前記外側背面部の内側に間隔を空けて対向し且つ該外側背面部と前記外側正面部とに略平行に配置される内側背面部と、前記外側右側面部の内側に間隔を空けて対向し且つ該外側右側面部と前記外側左側面部とに略平行に配置される内側右側面部と、前記外側左側面部の内側に間隔を空けて対向し且つ該外側左側面部と前記外側右側面部とに略平行に配置される内側左側面部とからなる内側周壁部と、
該内側周壁部の上端開口部を塞ぎ且つ前記外側上面蓋部の下方に間隔を空けて対向配置される内側上面蓋部と、
前記内側周壁部の下端開口部を塞ぎ且つ前記外側底面蓋部の上方に間隔を空けて対向配置される内側底面蓋部と、
前記内側右側面部の上端と前記内側左側面部の上端とにそれぞれ連ねて設けられ、前記内側上面蓋部の内側に重ねられる一対の上側の内蓋と、
前記内側右側面部の下端と前記内側左側面部の下端とにそれぞれ連ねて設けられ、前記内側底面蓋部の内側に重ねられる一対の下側の内蓋と、を備え、
前記連結部は、
前記外側正面部と前記内側正面部とに跨って且つ前記外側右側面部と前記外側左側面部とに略平行に配置される複数の正面側連結アームと、
前記外側背面部と前記内側背面部とに跨って且つ前記外側右側面部と前記外側左側面部とに略平行に配置される複数の背面側連結アームと、
前記外側右側面部と前記内側右側面部とに跨って且つ前記外側正面部と前記外側背面部とに略平行に配置される右側連結アームと、
前記外側左側面部と前記内側左側面部とに跨って且つ前記外側正面部と前記外側背面部とに略平行に配置される左側連結アームと、を備え、
前記台紙は、前記複数の背面側連結アームと前記左側連結アームとを構成する第１の連結パネル部と、前記複数の正面側連結アームと前記右側連結アームとを構成する第２の連結パネル部と、を備え、
第１の連結パネル部における互いに平行な一対の折り目と該一対の折り目の一方から他方まで延びる切り込み部分とでそれぞれ囲まれた互いに隣接する複数の領域が立ち上げられることで、該複数の領域がそれぞれ前記背面側連結アームを構成し、
第２の連結パネル部における互いに平行な一対の折り目と該一対の折り目の一方から他方まで延びる切り込み部分とでそれぞれ囲まれた互いに隣接する複数の領域が立ち上げられることで、該複数の領域がそれぞれ前記正面側連結アームを構成し、
前記包装箱の組立状態において、
前記内箱部は、前記複数の正面側連結アームと前記複数の背面側連結アームと前記右側連結アームと前記左側連結アームとによる前記内側周壁部と前記外側周壁部との連結のみによって、前記外箱部に連結されていることを特徴とする包装箱。
【発明の詳細な説明】
【技術分野】
【０００１】
本発明は、収容物を保護するための緩衝機能を備えた包装箱に関する。
【背景技術】
【０００２】
１枚の台紙を折り曲げることで組み立てられる包装箱に、瓶などの破損しやすい物品が収容される場合、この収容物が流通時等に破損することを避けるために、包装箱内面と収容物との間に緩衝材が詰め込まれることがある。
【０００３】
ところが、このように緩衝材を用いた包装作業を多数行う場合、包装箱毎に緩衝材の詰め込みを行わなければならず、包装作業に多大な労力を要してしまう。
【０００４】
この問題を解消するために、例えば特許文献１には、１枚の台紙を折り曲げることで組み立てられる包装箱に関して、この包装箱自体に緩衝機能を持たせる技術が開示されている。
【０００５】
特許文献１に開示された包装箱は、収容物を収容する内箱部と、内箱部との間に間隙を確保しつつ内箱部を収容する外箱部とを備えている。具体的には、内箱部の周囲に、内箱部の側面と外箱部の側面との間隙を確保する複数の支え片および襠片と、内箱部の底面と外箱部の底面との間隙を確保する脚片と、内箱部の上面と外箱部の上面との間隙を確保する延び片とが設けられ、これにより、内箱部と外箱部との間に間隙が確保されて、包装箱自体の緩衝機能が発揮されるようになっている。
【先行技術文献】
【特許文献】
【０００６】
【特許文献１】特開２００８−１５５９９０号公報
【発明の概要】
【発明が解決しようとする課題】
【０００７】
しかしながら、上記特許文献１の包装箱では、内箱部の６面全てが前記支え片、襠片、脚片又は延び片を介して外箱部に接しているため、包装箱の外側のいずれの方向から衝撃が加えられたときも、その衝撃が内箱部に伝わりやすい構造となっている。特に、包装箱が落下したときなどには、外箱部の下側から加わる大きな衝撃が前記脚片を経由して内箱部、ひいては内箱部内の収容物に伝わりやすい欠点を有し、包装箱の緩衝機能について改善の余地がある。
【０００８】
そこで、本発明は、緩衝機能の向上を図ることができる包装箱を提供することを課題とする。
【課題を解決するための手段】
【０００９】
上記課題を解決するため、本発明は、略直方体の外箱部と、該外箱部に収容される略直方体の内箱部と、前記外箱部と前記内箱部とを連結する連結部と、を備え、１枚の台紙を折り曲げることで前記外箱部と前記内箱部と前記連結部とが形成されるように組み立てられる包装箱であって、
前記外箱部は、
互いに対向し且つ略平行に配置される外側正面部および外側背面部と、互いに対向し且つ略平行に配置される外側右側面部および外側左側面部とからなる外側周壁部と、
該外側周壁部の上端開口部を塞ぐ外側上面蓋部と、
前記外側周壁部の下端開口部を塞ぐ外側底面蓋部と、を備え、
前記内箱部は、
前記外側正面部の内側に間隔を空けて対向し且つ該外側正面部と前記外側背面部とに略平行に配置される内側正面部と、前記外側背面部の内側に間隔を空けて対向し且つ該外側背面部と前記外側正面部とに略平行に配置される内側背面部と、前記外側右側面部の内側に間隔を空けて対向し且つ該外側右側面部と前記外側左側面部とに略平行に配置される内側右側面部と、前記外側左側面部の内側に間隔を空けて対向し且つ該外側左側面部と前記外側右側面部とに略平行に配置される内側左側面部とからなる内側周壁部と、
該内側周壁部の上端開口部を塞ぎ且つ前記外側上面蓋部の下方に間隔を空けて対向配置される内側上面蓋部と、
前記内側周壁部の下端開口部を塞ぎ且つ前記外側底面蓋部の上方に間隔を空けて対向配置される内側底面蓋部と、
前記内側右側面部の上端と前記内側左側面部の上端とにそれぞれ連ねて設けられ、前記内側上面蓋部の内側に重ねられる一対の上側の内蓋と、
前記内側右側面部の下端と前記内側左側面部の下端とにそれぞれ連ねて設けられ、前記内側底面蓋部の内側に重ねられる一対の下側の内蓋と、を備え、
前記連結部は、
前記外側正面部と前記内側正面部とに跨って且つ前記外側右側面部と前記外側左側面部とに略平行に配置される複数の正面側連結アームと、
前記外側背面部と前記内側背面部とに跨って且つ前記外側右側面部と前記外側左側面部とに略平行に配置される複数の背面側連結アームと、
前記外側右側面部と前記内側右側面部とに跨って且つ前記外側正面部と前記外側背面部とに略平行に配置される右側連結アームと、
前記外側左側面部と前記内側左側面部とに跨って且つ前記外側正面部と前記外側背面部とに略平行に配置される左側連結アームと、を備え、
前記台紙は、前記複数の背面側連結アームと前記左側連結アームとを構成する第１の連結パネル部と、前記複数の正面側連結アームと前記右側連結アームとを構成する第２の連結パネル部と、を備え、
第１の連結パネル部における互いに平行な一対の折り目と該一対の折り目の一方から他方まで延びる切り込み部分とでそれぞれ囲まれた互いに隣接する複数の領域が立ち上げられることで、該複数の領域がそれぞれ前記背面側連結アームを構成し、
第２の連結パネル部における互いに平行な一対の折り目と該一対の折り目の一方から他方まで延びる切り込み部分とでそれぞれ囲まれた互いに隣接する複数の領域が立ち上げられることで、該複数の領域がそれぞれ前記正面側連結アームを構成し、
前記包装箱の組立状態において、
前記内箱部は、前記複数の正面側連結アームと前記複数の背面側連結アームと前記右側連結アームと前記左側連結アームとによる前記内側周壁部と前記外側周壁部との連結のみによって、前記外箱部に連結されていることを特徴とする。
【発明の効果】
【００１０】
本発明に係る包装箱は、内箱部と外箱部との間の間隙により緩衝機能を発揮することができるとともに、内箱部と外箱部とは、内箱部の４面の側面部とこれらにそれぞれ対向する外箱部の側面部との連結のみによって連結されているため、上方および下方から外箱部に加わる衝撃が内箱部に伝わり難く、これにより、包装箱の緩衝機能の向上が図られている。したがって、例えば、包装箱を落としたときなどでも、下側からの衝撃が外箱部から内箱部に伝わり難いため、下方からの衝撃を外箱部で効果的に吸収して、内箱部に収容された収容物を効果的に保護することができる。また、例えば包装箱の上側に物が載せられたときなどに加わる上方からの衝撃についても同様に、外箱部で効果的に衝撃を吸収して、収容物を効果的に保護することができる。
【００１１】
また、内箱部の側面部は４面とも外箱部の側面部に連結されているため、外箱部と連結部とにより内箱部を安定して支持することができる。これにより、特に横揺れに対して収容物を効果的に保護することができる。
【００１２】
さらに、外箱部と内箱部と連結部とは１枚の台紙で一体に形成されるため、組立の際、複数種類の台紙を用いたり、外箱部に対する内箱部の位置決め作業を行ったりする必要がないため、内箱部と外箱部とを別々に組み立てて連結する場合に比べて高い生産性を実現することができる。
【図面の簡単な説明】
【００１３】
【図１】本発明の一実施形態に係る包装箱を示す斜視図である。
【図２】図１に示す包装箱を示す平面図である。
【図３】図２のＡ−Ａ線断面図である。
【図４】図２のＢ−Ｂ線断面図である。
【図５】図１に示す包装箱を形成するための台紙を内側から示す平面図である。
【図６】図５に示す台紙を用いて包装箱を組み立てる手順を示す平面図である。
【図７】図５に示す台紙を用いて包装箱を組み立てる手順を示す平面図である。
【図８】図５に示す台紙を用いて包装箱を組み立てる手順を示す平面図である。
【図９】図５に示す台紙を用いて包装箱を組み立てる手順を示す平面図である。
【図１０】図５に示す台紙を用いて包装箱を組み立てる手順を示す平面図である。
【図１１】折り畳み状態から変形させた状態における包装箱を上面側から見た図である。
【発明を実施するための形態】
【００１４】
以下、図面を参照しながら本発明の一実施形態を説明する。なお、以下の説明において、「上」、「下」、「上下」、「左」、「右」、「左右」等の方向を示す用語は、特段の説明がある場合を除いて、組み立てられて封止された状態の包装箱を正面側から見た場合の方向を指すものとする。
【００１５】
図１〜図４に示すように、本実施形態に係る包装箱１は、略直方体の外箱部２と、該外箱部２に収容される略直方体の内箱部４と、外箱部２と内箱部４とを連結する連結部６と、を備えている。また、この包装箱１は、１枚の台紙１００（図５参照）を折り曲げることで外箱部２と内箱部４と連結部６とが形成されるように組み立てられるものである。
【００１６】
外箱部２は、４面の外側周面部１１，１２，１３，１４（１１〜１４）からなる角筒状の外側周壁部１０と、該外側周壁部１０の上端開口部を塞ぐ外側上面蓋部１６と、外側周壁部１０の下端開口部を塞ぐ外側底面蓋部１８と、を備える。
【００１７】
具体的に、前記４面の外側周面部１１〜１４は、第１の外側周面部としての外側正面部１１と、該外側正面部１１に対向し且つ略平行に配置される第２の外側周面部としての外側背面部１２と、第３の外側周面部としての外側右側面部１３と、該外側右側面部１３に対向し且つ略平行に配置される第４の外側周面部としての外側左側面部１４とである。これら４面の外側周面部１１〜１４は、平面視で略同一の長さを有し、外側周壁部１０の平面形状は略正方形となっている。ただし、本発明において、外側周壁部１０の平面形状は正方形以外の長方形であってもよい。
【００１８】
また、前記外側上面蓋部１６は、外側背面部１２の上端に連ねて設けられ、前記外側底面蓋部１８は、外側正面部１１の下端に連ねて設けられている。さらに、外側右側面部１３の上端と外側左側面部１４の上端とには、それぞれ外側上面蓋部１６の内側に重ねるための上側の内蓋１９，２０が連ねて設けられており、外側右側面部１３の下端と外側左側面部１４の下端とには、それぞれ外側底面蓋部１８の内側に重ねるための下側の内蓋２１，２２が連ねて設けられている。
【００１９】
内箱部４は、前記外側周面部１１〜１４の内側側方にそれぞれ対向配置される４面の内側周面部３１，３２，３３，３４（３１〜３４）からなる角筒状の内側周壁部３０と、該内側周壁部３０の上端開口部を塞ぐ内側上面蓋部３６と、内側周壁部３０の下端開口部を塞ぐ内側底面蓋部３８と、を備える。
【００２０】
具体的に、前記４面の内側周面部３１〜３４は、第１の内側周面部としての内側正面部３１と、該内側正面部３１に対向し且つ略平行に配置される第２の内側周面部としての内側背面部３２と、第３の内側周面部としての内側右側面部３３と、該内側右側面部３３に対向し且つ略平行に配置される第４の内側周面部としての内側左側面部３４とである。
【００２１】
内側正面部３１は、外側正面部１１に対向し且つ外側正面部１１と外側背面部１２とに略平行に配置され、内側背面部３２は、外側背面部１２に対向し且つ外側正面部１１と外側背面部１２とに略平行に配置されている。また、内側右側面部３３は、外側右側面部１３に対向し且つ外側右側面部１３と外側左側面部１４とに略平行に配置され、内側左側面部３４は、外側左側面部１４に対向し且つ外側右側面部１３と外側左側面部１４とに略平行に配置されている。
【００２２】
これら４面の内側周面部３１〜３４は、平面視で略同一の長さを有し、内側周壁部３０の平面形状は略正方形となっている。ただし、本発明において、内側周壁部３０の平面形状は正方形以外の長方形であってもよい。
【００２３】
また、平面視において、内側周壁部３０は、外側周壁部１０の略中央部に配置されており、内側周壁部３０から外側周壁部１０までの間隔は、４辺のいずれにおいても略等しくなっている。
【００２４】
前記内側上面蓋部３６は、内側背面部３２の上端に連ねて設けられており、内側上面蓋部３６及び外側上面蓋部１６を閉じた状態において外側上面蓋部１６の下方に対向配置されるようになっている。前記内側底面蓋部３８は、内側背面部１２の下端に連ねて設けられており、内側底面蓋部３８及び外側底面蓋部１８を閉じた状態において外側底面蓋部１８の上方に対向配置されるようになっている。また、内側右側面部３３の上端と内側左側面部３４の上端とには、それぞれ内側上面蓋部３６の内側に重ねるための上側の内蓋３９，４０が連ねて設けられており、内側右側面部３３の下端と内側左側面部３４の下端とには、それぞれ内側底面蓋部３８の内側に重ねるための下側の内蓋４１，４２が連ねて設けられている。
【００２５】
この内箱部４には、内側上面蓋部３６と内側底面蓋部３８とを閉じた状態において、収容物Ｐを収容するための内部空間Ｓ１が形成されるようになっている。また、包装箱１の全ての蓋部１６，１８，３６，３８を閉じた状態において、内箱部４と外箱部２との間には空間Ｓ２が形成されるため、内箱部４に収容された収容物Ｐを外箱部２の内面から離間した状態に維持することができ、これにより、包装箱１自体が緩衝機能を発揮できるようになっている。そのため、収容物Ｐが瓶などの破損しやすい物品であっても、包装箱１の内部に緩衝材を詰め込む手間を省いて、包装作業の負担軽減を図ることができる。
【００２６】
また、収容物Ｐは、内箱部４により周囲を完全に囲まれた状態で収容されるため、収容物Ｐを安定的に支持することができ、これにより、該収容物Ｐを一層効果的に保護することができる。
【００２７】
続いて、図２〜図４を参照しながら、外箱部２と内箱部４とを連結する連結部６の構成について具体的に説明する。
【００２８】
連結部６は、外側正面部１１と内側正面部３１とに跨る第１の連結アームとしての正面側連結アーム５１（５１ａ，５１ｂ，５１ｃ）と、外側背面部１２と内側背面部３２とに跨る第２の連結アームとしての背面側連結アーム５２（５２ａ，５２ｂ，５２ｃ）と、外側右側面部１３と内側右側面部３３とに跨る第３の連結アームとしての右側連結アーム５３と、外側左側面部１４と内側左側面部３４とに跨る第４の連結アームとしての左側連結アーム５４とを有する。
【００２９】
図２に示すように、正面側連結アーム５１ａ，５１ｂ，５１ｃは互いに間隔を空けて複数設けられている。より具体的には、図２の左右方向に間隔を空けて３つの正面側連結アーム５１ａ，５１ｂ，５１ｃが設けられ、各正面側連結アーム５１ａ，５１ｂ，５１ｃは、外側右側面部１３と外側左側面部１４とに略平行に配置されている。最も左側の正面側連結アーム５１ａは内側正面部３１の左端部から外側正面部１１に向かって延設され、中央の正面側連結アーム５１ｂは内側正面部３１の左右方向中央部から外側正面部１１に向かって延設され、最も右側の正面側連結アーム５１ｃは内側正面部３１の右端部から外側正面部１１に向かって延設されている。
【００３０】
また、図４に示すように、各正面側連結アーム５１ａ，５１ｂ，５１ｃは、内側正面部３１の上下方向中央よりも下側部分から外側正面部１１に向かって斜め上方に延設されており、正面側連結アーム５１ａ，５１ｂ，５１ｃの上端部は接着面部６１を介して外側正面部１１に接着され、正面側連結アーム５１ａ，５１ｂ，５１ｃの下端部は接着面部６２を介して内側正面部３１に接着されている。
【００３１】
図２に戻って、背面側連結アーム５２ａ，５２ｂ，５２ｃは互いに間隔を空けて複数設けられている。より具体的には、図２の左右方向に間隔を空けて３つの背面側連結アーム５２ａ，５２ｂ，５２ｃが設けられ、各背面側連結アーム５２ａ，５２ｂ，５２ｃは、外側右側面部１３と外側左側面部１４とに略平行に配置されている。最も左側の背面側連結アーム５２ａは内側背面部３２の左端部から外側背面部１２に向かって延設され、中央の背面側連結アーム５２ｂは内側背面部３２の左右方向中央部から外側背面部１２に向かって延設され、最も右側の背面側連結アーム５２ｃは内側背面部３２の右端部から外側背面部１２に向かって延設されている。
【００３２】
また、図４に示すように、各背面側連結アーム５２ａ，５２ｂ，５２ｃは、内側背面部３２の上下方向中央よりも上側部分から外側背面部１２に向かって斜め上方に延設されており、背面側連結アーム５２ａ，５２ｂ，５２ｃの上端部は接着面部６４を介して外側背面部１２に接着され、背面側連結アーム５２ａ，５２ｂ，５２ｃの下端部は接着面部６３を介して内側背面部３２に接着されている。
【００３３】
再び図２に戻って、右側連結アーム５３は外側正面部１１と外側背面部１２とに略平行に配置されている。右側連結アーム５３の下端部は、正面側連結アーム５１ａ，５１ｂ，５１ｃと内側正面部３１との間に介在する前記接着面部６２に連なっており、該接着面部６２と右側連結アーム５３とが同一面上に連ねて配設されている。これにより、右側連結アーム５３は、内側正面部３１と内側右側面部３２とのコーナー部に固定されている。また、右側連結アーム５３は、接着面部６６を介して外側右側面部１３に接着されている。
【００３４】
また、外側右側面部１３と内側右側面部３３との間には、右側連結アーム５３に加えて、スペーサ５５が配設されている。スペーサ５５は、内側背面部３２と内側右側面部３３とのコーナー部から外側右側面部１３に向かって、外側正面部１１と外側背面部１２とに略平行に延びるように配設されている。スペーサ５５の下端部は、背面側連結アーム５２ａ，５２ｂ，５２ｃと内側背面部３２との間に介在する前記接着面部６３に連なるように設けられており、これにより、スペーサ５５は内側背面部３２と内側右側面部３３とのコーナー部に固定されている。また、スペーサ５５の右端部は、外側右側面部１３に対して非接着状態で当接するように配設されている（図３参照）。
【００３５】
左側連結アーム５４は、外側正面部１１と外側背面部１２とに略平行に配置されている。左側連結アーム５４の下端部は、背面側連結アーム５２ａ，５２ｂ，５２ｃと内側背面部３２との間に介在する前記接着面部６３に連なっており、該接着面部６３と左側連結アーム５４とが同一面上に連ねて配設されている。これにより、左側連結アーム５４は、内側左側面部３４と内側背面部３２とのコーナー部に固定されている。また、左側連結アーム５４は、接着面部６５を介して外側左側面部１３に接着されている。
【００３６】
このようにして設けられた各連結アーム５１〜５４とスペーサ５５とにより、内箱部４と外箱部２との間の空間Ｓ２は複数の区画に仕切られており、各区画に、収容物Ｐに比べて小さな別の物品を収容することができる。したがって、例えば、内箱部４内部の収容空間Ｓ１に収容物Ｐとしてバイアルを収容し、内箱部４と外箱部２との間の空間Ｓ２における各区画にアンプル、粉末スティック、添付文書等を収容するなどといった態様で、包装箱１に複数の物品を収容することができる。
【００３７】
以上のように、連結部６は、４面の内側周面部３１〜３４とこれらにそれぞれ対向する４面の外側周面部１１〜１４との連結のみによって内箱部４と外箱部２とを連結するように構成されている。すなわち、内側上面蓋部３６は外側上面蓋部１６に対して、内側底面蓋部３８は外側底面蓋部１８に対してそれぞれ連結されていないため、上方および下方から外箱部２に加わる衝撃が内箱部４に伝わり難く、これにより、包装箱１の緩衝機能の向上が図られている。したがって、例えば包装箱１を落としたときなどでも、下側からの衝撃が外箱部２から内箱部４に伝わり難いため、下方からの衝撃を外箱部２で効果的に吸収して、内箱部４に収容された収容物Ｐを効果的に保護することができる。また、例えば包装箱１の上側に物が載せられたときなどに加わる上方からの衝撃についても同様に、外箱部２で効果的に衝撃を吸収して、収容物Ｐを効果的に保護することができる。
【００３８】
また、内箱部４の外側面は４面とも外箱部２の内側面に連結されているため、外箱部２と連結部６とにより内箱部４を安定して支持することができる。これにより、特に横揺れに対して収容物Ｐを効果的に保護することができる。
【００３９】
さらに、外箱部２と内箱部４と連結部６とは１枚の台紙１００で一体に形成されるため、組立の際、複数種類の台紙を用いたり、外箱部２に対する内箱部４の位置決め作業を行ったりする必要がないため、内箱部４と外箱部２とを別々に組み立てて連結する場合に比べて高い生産性を実現することができる。
【００４０】
次に、図５を参照しながら、台紙１００の構成について説明する。
【００４１】
台紙１００は、折り目Ｆ１，Ｆ２，Ｆ３を介して帯状に連なる第１〜第４の外側パネル部１０１，１０２，１０３，１０４（１０１〜１０４）を有する。
【００４２】
第１〜第４の外側パネル部１０１〜１０４は、外箱部２の外側周壁部１０を構成する部分である。具体的に、第１の外側パネル部１０１は外側右側面部１３を、第２の外側パネル部１０２は外側背面部１２を、第３の外側パネル部１０３は外側左側面部１４を、第４の外側パネル部１０４は外側正面部１１をそれぞれ構成する部分である。
【００４３】
第１及び第３の外側パネル部１０１，１０３には、前記上側の内蓋１９，２０を構成する内蓋パネル部１０９，１１０と、前記下側の内蓋２１，２２を構成する内蓋パネル部１１１，１１２とがそれぞれ折り目Ｆ５，Ｆ６，Ｆ１０，Ｆ１１を介して連ねて設けられている。
【００４４】
第２の外側パネル部１０２には、外側上面蓋部１６を構成する外側上面パネル部１０５が折り目Ｆ８を介して連ねて設けられ、該外側上面パネル部１０５には、折り込みパネル部１０６が折り目Ｆ９を介して連ねて設けられている。また、第２の外側パネル部１０２には、第２の外側パネル部１０２の内側に折り重ねられて第２の外側パネル部１０２と共に外側背面部１２を構成する折り重ねパネル部１１３が折り目Ｆ７を介して連ねて設けられている。折り重ねパネル部１１３には、第２の外側パネル部１０２に貼り付けるためのシール部Ｇ１，Ｇ２が設けられている。
【００４５】
折り重ねパネル部１１３には、前記連結部６の一部を構成する第１の連結パネル部１１４が折り目Ｆ１４を介して連ねて設けられている。なお、折り目Ｆ１４には、この折り目Ｆ１４に沿った折り曲げを容易にするための切り込みが形成されている。
【００４６】
第１の連結パネル部１１４は、図５において折り重ねパネル部１１３の上端から斜め右上方に延びる傾斜パネル部１１５と、該傾斜パネル部１１５の先端に連なる先端パネル部１１６とを有する。
【００４７】
第１の連結パネル部１１４の傾斜パネル部１１５には、互いに平行な例えば４つの折り目Ｆ１５，Ｆ１６，Ｆ１７，Ｆ１８が、図５の左右方向に等間隔を空けて、それぞれ上下方向に延びるように設けられている。なお、折り目Ｆ１５，Ｆ１６，Ｆ１７には、これらの折り目Ｆ１５，Ｆ１６，Ｆ１７に沿った折り曲げを容易にするための切り込みが形成されている。
【００４８】
また、傾斜パネル部１１５には、例えば３つの切り込みＲ１，Ｒ２，Ｒ３が図５の左右方向に並べて形成されている。これらの切り込みＲ１，Ｒ２，Ｒ３のうち、図５において最も左側の切り込みＲ１は、傾斜パネル部１１５の左縁部に連なるように且つ該左縁部の上端から折り目Ｆ１６の上端まで延びるように形成され、中央の切り込みＲ２は、折り目Ｆ１５の下端から折り目Ｆ１７の上端まで且つ折り目Ｆ１６に交差して延びるように形成され、最も右側の切り込みＲ３は、折り目Ｆ１６の下端から折り目Ｆ１８の上端まで且つ折り目Ｆ１７に交差して延びるように形成されている。
【００４９】
傾斜パネル部１１５には、背面側連結アーム５２ａ，５２ｂ，５２ｃと外側背面部１２との間に介在する前記接着面部６４を構成する例えば３つの領域１１７，１１８，１１９が形成されている。具体的に、前記領域１１７は、傾斜パネル部１１５の左縁部と折り目Ｆ１４と折り目Ｆ１５とで囲まれた略三角形の領域であり、前記領域１１８は、切り込みＲ２と折り目Ｆ１４と折り目Ｆ１６とで囲まれた略三角形の領域であり、前記領域１１９は、切り込みＲ３と折り目Ｆ１４と折り目Ｆ１７とで囲まれた略三角形の領域である。これらの領域１１７，１１８，１１９には、それぞれ折り重ねパネル部１１３に接着するためのシール部Ｇ３，Ｇ４，Ｇ５が設けられている。
【００５０】
また、傾斜パネル部１１５には、背面側連結アーム５２ａ，５２ｂ，５２ｃを構成する例えば３つの領域１２０，１２１，１２２が形成されている。具体的に、前記領域１２０は、隣接する一対の折り目Ｆ１５，Ｆ１６と、該折り目Ｆ１５，Ｆ１６の上端間で連なるように延びる傾斜パネル部１１５の左縁部及び切り込みＲ１と、折り目Ｆ１５の下端から折り目Ｆ１６の中間部まで延びる切り込みＲ２とで囲まれた領域である。また、前記領域１２１は、隣接する一対の折り目Ｆ１６，Ｆ１７と、折り目Ｆ１６の中間部から折り目Ｆ１７の上端まで延びる切り込みＲ２と、折り目Ｆ１６の下端から折り目Ｆ１７の中間部まで延びる切り込みＲ３とで囲まれた領域である。さらに、前記領域１２２は、隣接する一対の折り目Ｆ１７，Ｆ１８と、折り目Ｆ１７の中間部から折り目Ｆ１８の上端まで延びる切り込みＲ３と、折り目Ｆ１７の下端から折り目Ｆ１８の下端まで延びる傾斜パネル部１１５の右縁部とで囲まれた領域である。
【００５１】
一方、第１の連結パネル部１１４の先端パネル部１１６は、背面側連結アーム５２ａ，５２ｂ，５２ｃを構成する傾斜パネル部１１５の前記領域１２０，１２１，１２２に折り目Ｆ１６，Ｆ１７，Ｆ１８を介して連なる領域１２３と、該領域１２３に折り目Ｆ３７を介して連なる領域１２４とを有する。なお、折り目Ｆ３７には、この折り目Ｆ３７に沿った折り曲げを容易にするための切り込みが形成されている。
【００５２】
先端パネル部１１６の前記領域１２３は、背面側連結アーム５２ａ，５２ｂ，５２ｃと内側背面部３２との間に介在する前記接着面部６３と、左側連結アーム５４と、前記スペーサ５５とを構成する部分となっている。一方、先端パネル部１１６の前記領域１２４には、第３の外側パネル部１０３に接着するためのシール部Ｇ６が設けられており、該領域１２４は、左側連結アーム５４と外側左側面部１４との間に介在する前記接着面部６５を構成する部分となっている。
【００５３】
第４の外側パネル部１０４には、外側底面蓋部１８を構成する外側底面パネル部１０７が折り目Ｆ１３を介して連ねて設けられ、該外側底面パネル部１０７には、折り込みパネル部１０８が折り目Ｆ１２を介して連ねて設けられている。また、第４の外側パネル部１０４には、右側連結アーム５３と外側右側面部１３との間に介在する前記接着面部６６を構成する接合パネル部１２５が折り目Ｆ４を介して連ねて設けられている。接合パネル部１２５には、第１の外側パネル部１０１に貼り付けるためのシール部Ｇ１３が設けられており（図９参照）、接合パネル部１２５を介して第４の外側パネル部１０４と第１の外側パネル部１０１とが繋ぎ合わされるようになっている。
【００５４】
接合パネル部１２５には、第１の連結パネル部１１４と共に前記連結部６を構成する第２の連結パネル部１２６が折り目Ｆ１９を介して連ねて設けられている。なお、折り目Ｆ１９には、この折り目Ｆ１９に沿った折り曲げを容易にするための切り込みが形成されている。
【００５５】
第２の連結パネル部１２６は、折り目Ｆ１９を介して接合パネル部１２５に連なるベースパネル部１２７と、図５においてベースパネル部１２７の右下部から斜め右下方に延びる傾斜パネル部１２８とを有する。
【００５６】
第２の連結パネル部１２６のベースパネル部１２７には、後述の第２の内側パネル部１４２に接着するためのシール部Ｇ１０（図６参照）が設けられており、ベースパネル部１２７は、正面側連結アーム５１ａ，５１ｂ，５１ｃと内側正面部３１との間に介在する前記接着面部６２と、右側連結アーム５３とを構成する部分となっている。
【００５７】
一方、第２の連結パネル部１２６の傾斜パネル部１２８には、互いに平行な例えば４つの折り目Ｆ２０，Ｆ２１，Ｆ２２，Ｆ２３が、図５の左右方向に等間隔を空けて、それぞれ上下方向に延びるように設けられている。なお、折り目Ｆ２０，Ｆ２１，Ｆ２２，Ｆ２３には、これらの折り目Ｆ２０，Ｆ２１，Ｆ２２，Ｆ２３に沿った折り曲げを容易にするための切り込みが形成されている。
【００５８】
また、傾斜パネル部１２８には、例えば２つの切り込みＲ４，Ｒ５が図５の左右方向に並べて形成されている。これらのうち左側の切り込みＲ４は、折り目Ｆ２０の上端から折り目Ｆ２２の下端まで且つ折り目Ｆ２１に交差して延びるように形成され、右側の切り込みＲ５は、折り目Ｆ２１の上端から折り目Ｆ２３の下端まで且つ折り目Ｆ２２に交差して延びるように形成されている。
【００５９】
傾斜パネル部１２８には、正面側連結アーム５１ａ，５１ｂ，５１ｃを構成する例えば３つの領域１３０，１３１，１３２が形成されている。具体的に、前記領域１３０は、隣接する一対の折り目Ｆ２２，Ｆ２３と、該折り目Ｆ２２，Ｆ２３の上端同士を繋ぐ傾斜パネル部１２８の右上縁部と、折り目Ｆ２２の中間部から折り目Ｆ２３の下端まで延びる切り込みＲ５とで囲まれた領域である。また、前記領域１３１は、隣接する一対の折り目Ｆ２１，Ｆ２２と、折り目Ｆ２１の上端から折り目Ｆ２２の中間部まで延びる切り込みＲ５と、折り目Ｆ２０の上端から折り目Ｆ２１の中間部まで延びる切り込みＲ４とで囲まれた領域である。
【００６０】
傾斜パネル部１２８の残りの領域１３３は、正面側連結アーム５１ａ，５１ｂ，５１ｃと外側正面部１１との間に介在する前記接着面部６１を構成する領域となっている。この領域１３３には、それぞれ第４の外側パネル部１０４に接着するための例えば３つのシール部Ｇ７，Ｇ８，Ｇ９が設けられている。
【００６１】
また、台紙１００は、折り目Ｆ２５，Ｆ２６，Ｆ２７を介して帯状に連なる第１〜第４の内側パネル部１４１，１４２，１４３，１４４（１４１〜１４４）を有する。
【００６２】
第１〜第４の内側パネル部１４１〜１４４は、内箱部４の内側周壁部３０を構成する部分である。具体的に、第１の内側パネル部１４１は内側右側面部３３を、第２の内側パネル部１４２は内側正面部３１を、第３の内側パネル部１４３は内側左側面部３４を、第４の内側パネル部１４４は内側背面部３２をそれぞれ構成する部分である。
【００６３】
第１の内側パネル部１４１は、外側底面パネル部１０７の右縁部と接合パネル部１２５の上縁部とに沿って配置されたパネル部分であり、切り込みＲ６によって外側底面パネル部１０７と接合パネル部１２５とから切り離されている。第１の内側パネル部１４１には、前記上側の内蓋３９を構成する内蓋パネル部１５０と、前記下側の内蓋４１を構成する内蓋パネル部１５２とがそれぞれ折り目Ｆ２９，Ｆ３０を介して連ねて設けられている。内蓋パネル部１５２は、接合パネル部１２５の右縁部とベースパネル部１２７の左上縁部とに沿って配置されたパネル部分であり、前記切り込みＲ６によって接合パネル部１２５とベースパネル部１２７とから切り離されている。
【００６４】
第２の内側パネル部１４２は、折り目Ｆ２４を介してベースパネル部１２７に連ねて設けられている。
【００６５】
第３の内側パネル部１４３には、前記上側の内蓋４０を構成する内蓋パネル部１５１と、前記下側の内蓋４２を構成する内蓋パネル部１５３とがそれぞれ折り目Ｆ３１，Ｆ３２を介して連ねて設けられている。
【００６６】
第４の内側パネル部１４４には、内側上面蓋部３６を構成する内側上面パネル部１４６が折り目Ｆ３４を介して連ねて設けられ、該内側上面パネル部１４６には、折り込みパネル部１４７が折り目Ｆ３３を介して連ねて設けられている。また、第４の内側パネル部１４４には、内側底面蓋部３８を構成する内側底面パネル部１４８が折り目Ｆ３５を介して連ねて設けられ、該内側底面パネル部１４８には、折り込みパネル部１４９が折り目Ｆ３６を介して連ねて設けられている。
【００６７】
さらに、第４の内側パネル部１４４には接合パネル部１４５が折り目Ｆ２８を介して連ねて設けられている。接合パネル部１４５には、第１の内側パネル部１４１に貼り付けるためのシール部Ｇ１２が設けられており（図６参照）、接合パネル部１４５を介して第４の内側パネル部１４４と第１の内側パネル部１４１とが繋ぎ合わされるようになっている。
【００６８】
以下、図５〜図１１を参照しながら、台紙１００を用いて包装箱１を組み立てる手順について説明する。なお、この説明において、台紙１００の各部の「上面」という用語は、図５〜図１０の紙面の手前側に表れる表面を意味するものとする。
【００６９】
先ず、図５及び図６に示すように、折り目Ｆ７に沿った折り曲げにより折り重ねパネル部１１３を第２の外側パネル部１０２の上面側に折り重ねて、シール部Ｇ１，Ｇ２により折り重ねパネル部１１３を第２の外側パネル部１０２に接着する。
【００７０】
続いて、折り目Ｆ１４に沿った折り曲げにより第１の連結パネル部１１４を折り重ねパネル部１１３の上面側に折り重ねて、シール部Ｇ３，Ｇ４，Ｇ５により第１の連結パネル部１１４の前記領域１１７，１１８，１１９を折り重ねパネル部１１３に接着するとともに、シール部Ｇ６により第１の連結パネル部１１４の前記領域１２４を第３の外側パネル部１０３に接着する。
【００７１】
さらに、折り目Ｆ１９に沿った折り曲げにより、第２の連結パネル部１２６等を第４の外側パネル部１０４等の上面側に折り重ねて、シール部Ｇ７，Ｇ８，Ｇ９により第２の連結パネル部１２６の前記領域１３３を第４の外側パネル部１０４に接着する。
【００７２】
次に、図６及び図７に示すように、折り目Ｆ２４に沿った折り曲げにより、内箱部４を構成する各パネル部１４１〜１５３を第２の連結パネル部１２６の上面側に折り重ねて、シール部Ｇ１０により第２の内側パネル部１４２を第２の連結パネル部１２６のベースパネル部１２７に接着する。さらに、折り目Ｆ２８に沿った折り曲げにより、接合パネル部１４５を第４の内側パネル部１４４の上面側に折り重ねる。
【００７３】
続いて、図７及び図８に示すように、折り目Ｆ２６に沿った折り曲げにより、第３の内側パネル部１４３等を第１及び第２の内側パネル部１４１，１４２等の上面側に折り重ねて、シール部Ｇ１２により接合パネル部１４５を第１の内側パネル部１４１に接着する。これにより、第１の内側パネル部１４１と第４の内側パネル部１４４とが接合パネル部１４５を介して繋ぎ合わされる。
【００７４】
次に、図８及び図９に示すように、折り目Ｆ３に沿った折り曲げにより、第４の外側パネル部１０４等を第３の外側パネル部１０３等の上面側に折り重ねて、シール部Ｇ１１により第４の内側パネル部１４４を第１の連結パネル部１１４の前記領域１２３に接着する。
【００７５】
続いて、図９及び図１０に示すように、折り目Ｆ１に沿った折り曲げにより、第１の外側パネル部１０１等を第１の連結パネル部１１４等の上面側に折り重ねて、シール部Ｇ１３により第１の外側パネル部１０１を接合パネル部１２５に接着する。これにより、第１の外側パネル部１０１と第４の外側パネル部１０４とが接合パネル部１２５を介して繋ぎ合わされる。
【００７６】
以上の工程により、図１０に示す折り畳み状態の包装箱１が組み立てられる。この折り畳み状態では、外箱部２及び内箱部４の全ての蓋部が開放し、且つ、内箱部４と連結部６とが外箱部２の内側に挟まれるようにして折り畳まれた状態となっている。包装箱１は、図１０に示す折り畳み状態で運搬、保管等することができ、これにより、運搬時等の省スペース化を図ることができる。また、以上の組立工程では、折り曲げる方向が、全て上面側へ折り重ねる方向となっているため、組立作業の簡略化を図ることができる。
【００７７】
ここで、図１１に示すように、第１及び第２の連結パネル部１１４，１２６で構成された連結部６は、外箱部２及び内箱部４の全ての蓋部が開いた状態において、平面視における外側周壁部１０の４つの角部のうち対向し合う一対の角部の角度が拡大され且つ残りの一対の角部の角度が縮小されるように外側周壁部１０が変形する間、内側正面部３１、内側背面部３２、右側連結アーム５３、左側連結アーム５４及びスペーサ５５が外側正面部１１と外側背面部１２とに略平行に配設された状態と、内側右側面部３３、内側左側面部３４、正面側連結アーム５１及び背面側連結アーム５２が外側右側面部１３と外側左側面部１４とに略平行に配設された状態とが維持されるように、外側周壁部１０と内側周壁部３０とを連結している。
【００７８】
図１０に示す折り畳み状態から、図１１に示すように外側周壁部１０を変形させる場合について具体的に説明すると、外側周壁部１０の変形に追随して、第１及び第２の連結パネル部１１４，１２６の各部が折り目Ｆ１５〜Ｆ２３，Ｆ３７に沿って折れ曲がることで、正面側連結アーム５１と背面側連結アーム５２とが外側右側面部１３と外側左側面部１４とに略平行に配置された状態を維持しながら立ち上がるとともに、右側連結アーム５３と左側連結アーム５４とが外側正面部１１と外側背面部１２とに略平行に配置された状態を維持しながら立ち上がり、内側周壁部３０は、内側周壁部３０の各面がそれぞれ対向する外側周壁部１０の各面に対して略平行に配設された状態を維持し且つ対向する外側周壁部１０の各面との間隔を拡げるように変形する。
【００７９】
このようにして外側周壁部１０及び内側周壁部３０を全ての角部が略直角になるまで変形させ、内蓋２１，２２，４１，４２、内側底面蓋部３８及び外側底面蓋部１８を閉じると、図１に示すように内側上面蓋部３６及び外側上面蓋部１６が開放した状態の包装箱１を得ることができる。
【００８０】
図１に示す状態において、上方から内箱部４の内部空間Ｓ１に収容物Ｐを入れ、必要に応じて、添付する物品を内箱部４と外箱部２との間の空間Ｓ２に入れた後、内蓋１９，２０，３９，４０、内側上面蓋部３６及び外側上面蓋部１６を閉じることで、包装箱１内に収容物Ｐが封入される。
【００８１】
また、包装箱１の開封後は、全ての蓋部１６，１８，３６，３８を開いた状態で、図１１に示すように包装箱１を変形させることで、図１０に示す状態となるように包装箱１を容易に折り畳むことができ、包装箱１の廃棄等に際して利便性の向上を図ることができる。
【００８２】
以上、上述の実施形態を挙げて本発明を説明したが、本発明は上述の実施形態に限定されるものではない。
【符号の説明】
【００８３】
１：包装箱
２：外箱部
４：内箱部
６：連結部
１０：外側周壁部
１１：外側正面部
１２：外側背面部
１３：外側右側面部
１４：外側左側面部
１６：外側上面蓋部
１８：外側底面蓋部
１９，２０：外箱部の上側の内蓋
２１，２２：外箱部の下側の内蓋
３０：内側周壁部
３１：内側正面部
３２：内側背面部
３３：内側右側面部
３４：内側左側面部
３６：内側上面蓋部
３８：内側底面蓋部
５１（５１ａ，５１ｂ，５１ｃ）：正面側連結アーム
５２（５２ａ，５２ｂ，５２ｃ）：背面側連結アーム
５３：右側連結アーム
５４：左側連結アーム
５５：スペーサ
６２：接着面部
６３：接着面部
１００：台紙
１０１：第１の外側パネル部（外側右側面部１３を構成する部分）
１０２：第２の外側パネル部（外側背面部１２を構成する部分）
１０３：第３の外側パネル部（外側左側面部１４を構成する部分）
１０４：第４の外側パネル部（外側正面部１１を構成する部分）
１０５：外側上面パネル部（外側上面蓋部１６を構成する部分）
１０７：外側底面パネル部（外側底面蓋部１８を構成する部分）
１０９：内蓋パネル部（外箱部の上側の内蓋１９を構成する部分）
１１０：内蓋パネル部（外箱部の上側の内蓋２０を構成する部分）
１１１：内蓋パネル部（外箱部の下側の内蓋２１を構成する部分）
１１２：内蓋パネル部（外箱部の下側の内蓋２２を構成する部分）
１１３：折り重ねパネル部（第２の外側パネル部１０２と共に外側背面部１２を構成する部分）
１１４：第１の連結パネル部
１１５：第１の連結パネル部の傾斜パネル部
１１６：第１の連結パネル部の先端パネル部
１１７，１１８，１１９：第１の連結パネル部の傾斜パネル部の領域（背面側連結アーム５２ａ，５２ｂ，５２ｃと外側背面部１２との間に介在する接着面部６４を構成する領域）
１２０，１２１，１２２：第１の連結パネル部の傾斜パネル部の領域（背面側連結アーム５２ａ，５２ｂ，５２ｃを構成する領域）
１２３：第１の連結パネル部の先端パネル部の領域（背面側連結アーム５２ａ，５２ｂ，５２ｃと内側背面部３２との間に介在する接着面部６３と、左側連結アーム５４と、スペーサ５５とを構成する領域）
１２４：第１の連結パネル部の先端パネル部の領域（左側連結アーム５４と外側左側面部１４との間に介在する接着面部６５を構成する領域）
１２５：接合パネル部（右側連結アーム５３と外側右側面部１３との間に介在する接着面部６６を構成する部分）
１２６：第２の連結パネル部
１２７：第２の連結パネル部のベースパネル部
１２８：第２の連結パネル部の傾斜パネル部
１３０，１３１，１３２：第２の連結パネル部の傾斜パネル部の領域（正面側連結アーム５１ａ，５１ｂ，５１ｃを構成する領域）
１３３：第２の連結パネル部の傾斜パネル部の領域（正面側連結アーム５１ａ，５１ｂ，５１ｃと外側正面部１１との間に介在する接着面部６１を構成する領域）
１４１：第１の内側パネル部（内側右側面部３３を構成する部分）
１４２：第２の内側パネル部（内側正面部３１を構成する部分）
１４３：第３の内側パネル部（内側左側面部３４を構成する部分）
１４４：第４の内側パネル部（内側背面部３２を構成する部分）
１４６：内側上面パネル部（内側上面蓋部３６を構成する部分）
１４８：内側底面パネル部（内側底面蓋部３８を構成する部分）
１５０：内蓋パネル部（内箱部の上側の内蓋３９を構成する部分）
１５１：内蓋パネル部（内箱部の上側の内蓋４０を構成する部分）
１５２：内蓋パネル部（内箱部の下側の内蓋４１を構成する部分）
１５３：内蓋パネル部（内箱部の下側の内蓋４２を構成する部分）
Ｆ１５，Ｆ１６：第１の連結パネル部における一対の折り目
Ｆ１６，Ｆ１７：第１の連結パネル部における一対の折り目
Ｆ１７，Ｆ１８：第１の連結パネル部における一対の折り目
Ｆ２０，Ｆ２１：第２の連結パネル部における一対の折り目
Ｆ２１，Ｆ２２：第２の連結パネル部における一対の折り目
Ｆ２２，Ｆ２３：第２の連結パネル部における一対の折り目
Ｒ２：第１の連結パネル部の切り込み（折り目Ｆ１５から折り目Ｆ１６まで延びる切り込み部分、及び、折り目Ｆ１６から折り目Ｆ１７まで延びる切り込み部分）
Ｒ３：第１の連結パネル部の切り込み（折り目Ｆ１６から折り目Ｆ１７まで延びる切り込み部分、及び、折り目Ｆ１７から折り目Ｆ１８まで延びる切り込み部分）
Ｒ４：第２の連結パネル部の切り込み（折り目Ｆ２０から折り目Ｆ２１まで延びる切り込み部分、及び、折り目Ｆ２１から折り目Ｆ２２まで延びる切り込み部分）
Ｒ５：第２の連結パネル部の切り込み（折り目Ｆ２１から折り目Ｆ２２まで延びる切り込み部分、及び、折り目Ｆ２２から折り目Ｆ２３まで延びる切り込み部分）
【要約】
【課題】包装箱の緩衝機能の向上を図る。
【解決手段】１枚の台紙１００を折り曲げることで外箱部２と内箱部４と連結部６とが形成されるように組み立てられる包装箱１において、外箱部２に、４面の外側周面部からなる外側周壁部１０と、該外側周壁部の上端開口部を塞ぐ外側上面蓋部１６と、外側周壁部の下端開口部を塞ぐ外側底面蓋部１８とで構成し、内箱部４に、４面の外側周面部の内側側方にそれぞれ対向配置される４面の内側周面部からなる内側周壁部３０と、該内側周壁部の上端開口部を塞ぎ且つ外側上面蓋部１６の下方に対向配置される内側上面蓋部３６と、内側周壁部の下端開口部を塞ぎ且つ外側底面蓋部１８の上方に対向配置される内側底面蓋部３８とで構成し、包装箱１の組立形状を、連結部６による前記４面の内側周面部と各内側周面部に対向する前記外側周面部との連結のみによって内箱部４と外箱部２とが連結された組立形状とする。
【選択図】図２【図１】
0005174262.tif 000002
【図２】
0005174262.tif 000003
【図３】
0005174262.tif 000004
【図４】
0005174262.tif 000005
【図５】
0005174262.tif 000006
【図６】
0005174262.tif 000007
【図７】
0005174262.tif 000008
【図８】
0005174262.tif 000009
【図９】
0005174262.tif 000010
【図１０】
0005174262.tif 000011
【図１１】
0005174262.tif 000012